(57)【要約】【目的】  加温・加湿しない場合は、遠赤外線とマイナスイオン効果、ホルミシス効果で精神をリラックスし癒され、瞑想をすることができ、また、加温・加湿したことにより放射量の増えた遠赤外線と発生量の増したマイナスイオンの効果により、血行を促進することで新陳代謝を盛んにして体調を良好にするとともに蒸気浴もすることができる癒し効果を有するサウナ装置を提供する。【構成】  サウナ装置１の内壁面Ａを微量の放射線及び遠赤外線を放射し、マイナスイオンを発生する放射線源材料１５で被覆した部材で構成し、サウナ装置１内に使用者が座ることができる腰掛け９とサウナ装置１内を約４０℃前後に維持する加温装置１６と、湿度を約６０％前後に維持する加湿装置１７を設ける。【選択図】      図１
2007061578.tif 000002
【特許請求の範囲】
【請求項１】
サウナ装置を構成する各部分を所望の位置にて組立て設置する組立て式サウナ装置において、前記サウナ装置の内壁面を微量の放射線及び遠赤外線を放射し、マイナスイオンを発生する放射線源材料で被覆した部材で構成した躯体部と、前記サウナ装置内に使用者が座ることができる腰掛けと、前記サウナ装置内を約４０℃前後に維持する加温装置と、該装置内の湿度を約６０％前後に維持する加湿装置とを設けたことを特徴とする癒し環境を有するサウナ装置。
【請求項２】
請求項１記載のサウナ装置において、使用者が胡坐または座禅が組みながら瞑想できるように補助腰掛けを増設し、広くなった座面に放射線源材料を含ませた敷物を配置したことを特徴とする癒し環境を有するサウナ装置。
【請求項３】
請求項１記載のサウナ装置において、腰掛けに取り外し可能な蓋を設け、この蓋を取外してこの腰掛けに蒸気浴装置を設け、サウナ浴と蒸気浴が同時にできることを特徴とする癒し環境を有するサウナ装置。
【発明の詳細な説明】
【技術分野】
【０００１】  本発明は、遠赤外線並びにマイナスイオンを一定以上発生させ、使用者にストレスをリラックスさせる癒し効果とホルミシス効果により血行を促進し新陳代謝を活性化することができ、また、身体、特に下腹部周囲に生ずる不調を改善する癒し環境を有するサウナ装置に関するものである。
【背景技術】
【０００２】  近年、環境問題が重要視されている。都会における日常生活の中で排気ガスなどによる空気中のプラスイオンが増大し、マイナスイオンが少なくなり、我々の身体や環境に悪影響を及ぼしていると言われている。その中で空気中のプラスイオンがマイナスイオンに比べ増大すると、酸化腐敗、体内異常、老化が進むと言われ、我々の身体や環境、植物体系、水系までが弱酸性化している。また、身体がプラスイオンが過剰な環境におかれると自律神経が興奮状態となり、人間はリラックスすることができず疲労困憊する。【０００３】  そこで、この疲れ果てた人間をリラックスさせるものとしてマイナスイオンが注目されている。マイナスイオンが多い環境では副交感神経が優位に働き自律神経を沈静化し、その結果として人間はリラックスすることができるとして、様々な電化製品、衣服等にマイナスイオンを発生する機構や物質が採用されている。しかし、電気的にマイナスイオンを発生するものは、マイナスイオンを発生するのと同時に、オゾンや窒素酸化物・硫黄酸化物を発生するものがあり、健康には不適なものがあった。また、マイナスイオンを発生する物質としては、トルマリンの粉末が知られているが、このトルマリンの粉末は摩擦を加えなければマイナスイオンを発生しないため、摩擦環境でなければマイナスイオンの効果を得られないものである。【０００４】  また、最近、放射線ホルミシス効果について話題となっており、わが国では電力中央研究所等の政府機関や複数の大学等の研究機関で研究が行われている。【０００５】  放射線ホルミシス効果とは、高線量では有害な放射線が低線量では生物活性を刺激する、あるいは適応応答と呼ぶ後続の高線量照射に対する抵抗性を誘導するなどの現象をいうもので、分子レベルでは、抗酸化能の上昇（ＳＯＤ活性の亢進、グルタチオンの増加、解毒能の亢進）、ＤＮＡ修復能の促進（ＤＮＡ損傷の修復、ＤＮＡ修復酵素の活性化）、遺伝子発現の変化、タンパク質の誘導合成（がん抑制遺伝子ｐ５３増加、ストレスタンパク質の誘導合成）、細胞膜の構造・機能変化（脂質過酸化の低減）、細胞レベルでは、適応応答の誘導（細胞増殖の促進、染色体異常の低下、細胞死抑制）、免疫能の活性化（幼若化反応の亢進、サイトカイン産生の亢進、アポトーシスの増加、リンパ球のアポトーシス）、細胞情報伝達系の関与（カルシウムイオンの関与、ＰＫＣの関与）、また、個体レベルでは、制がん・抗がん作用（がん転移の抑制、放射線発がん・化学発がんの発生低減・遅延疾病抑制、高血糖値の低下、実験糖尿病の発現遅延）、放射線抵抗性の誘導（放射線誘発致死の抑制、放射線誘発奇形の低減）中枢神経系への効果（心理ストレスの低減）、ヒトの疫学調査（がん以外の死亡率の低下）等の多様な放射線ホルミシス効果が見出され、さらに研究が進められている。【０００６】  一方、一日の疲れを癒すものとして家庭用サウナが普及してきている。この家庭用サウナは、木製あるいは合成樹脂製の躯体内をヒーター等で４０℃〜６０℃に加温し、その中に２０〜３０分間入って汗を流しリラックスすると言うものである。実開平５−６８５７２号公報には、熱線透過難性材からなるシートの内側面に遠赤外線放射物質の複合剤からなる遠��外線放射層を形成し、この層面に布材を被装した積層シートからなるボックスを形成し、このボックス内を加温する加温装置を具備した家庭用サウナが開示されている。【０００７】  また、特開２００５−８７７２４号公報には、サウナ室をコンクリートで作り、室内面を微量放射線等を発する天然鉱石あるいは天然鉱石の微粒粉体やセラミック含有モルタルで覆い、床暖房等の加熱装置と加湿器あるいはミスト発生装置を併用したサウナ室が開示されている。
【特許文献１】  実開平５−６８５７２号公報
【特許文献２】  特開２００５−８７７２４号公報
【発明の開示】
【発明が解決しようとする課題】
【０００８】  しかし、前記の低温サウナは、サウナ室内に遠赤外線を発生する発熱装置を設け、この発熱装置に通電し発熱させることにより、４５℃前後の室温としているものであるが、人体に作用する遠赤外線の波長は特定されており、発熱装置から輻射される遠赤外線のうち体に有効な遠赤外線は少ないため効果は低く、利用者が体温より高い温度の室内にいることで発汗を促すもので、利用者は体の芯から温まるという感じは得られにくいものであった。【０００９】  また、後記のサウナ室は、コンクリート製や床暖房パイプ等を施工、ボイラー等が必要であるため一般家庭に設置する場合には、新築家屋の設計時に組み込むようにするか、あるいはサウナ室を増築しなければならないものである。【００１０】  また、両者は加温・加湿することにより発汗を促し、血行を改善するとともに人間の持つ自然治癒力を増そうとするもので、使用者の家庭内の好みの場所に移動して設置することもでき、また、使用者のその日の気分でマイナスイオンの豊富な環境でその効果、ホルミシス効果を十分に享受しながらリラックス・瞑想したり、あるいは加温・加湿することで汗をかいてさらに豊富なマイナスイオンの環境下でホルミシス効果を享受したいという使用者の様々な要求にかなうサウナ装置では無かった。また、サウナ浴で全身の血行を改善させながら、身体の部分浴もできるサウナ装置もなかった。【００１１】  本発明は、上記の問題点に鑑みてなされたものでその目的とするところは、加温・加湿しない場合は、遠赤外線とマイナスイオン効果、ホルミシス効果で精神をリラックスし癒され、瞑想等をすることができ、また、加温・加湿したことにより放射量の増えた遠赤外線と発生量の増したマイナスイオンの効果により、血行を促進することで新陳代謝を盛んにして体調を良好にするとともに部分浴もすることができる癒し効果を有するサウナ装置を提供しようとするものである。【００１２】  ところで、本発明者は特開平１１−２８７８９９号公報に放射線源材料および放射線源材料の製造方法として、空気、水（生体の会合水を含む）の浄化、改質、生物（人間を含む）の健康に寄与する放射線源材料を開示している。この放射線源材料は、放射能濃度については原子力基本法に規定される３７０Ｂｑ／ｇ以下に調整してあるもので、水や動物（人間を含む）の電磁波（粒子も含む）吸収特性について、水の場合は、短波長域（３μｍ〜５．１μｍ。９μｍ〜１０μｍ）側にスペクトル吸収のピークがあり、人の皮膚の吸収特性は、３μｍ、６μｍ付近にスペクトル吸収のピークがあり、人体透過のピークは２μｍ、４μｍ、１１．５μｍ付近にあること。また、米国航空宇宙局（ＮＡＳＡ）の研究では、人体に有効な電磁波は、８μｍ〜１４μｍの電磁波が良いとされていることを考慮し、また、人体の温熱機構は、体内細胞の分子運動に依存するが、放射波長と吸収波長との差によって、表面反射、浸透力、内部吸収発熱等、種々影響するものと思われる。また、空気の電離（−イオン化）は、３７０Ｂｑ／ｇでは放射体周囲１０ｃｍ位であることから、放射線源材料に他物質を添加して、上述の吸収スペクトルに適合し、遠赤外線・マイナスイオン・ホルミシス効果を得られる利用目的に適合した新放射���源体を提供したものである。
【課題を解決するための手段】
【００１３】  上記目的を達成するために、本発明における請求項１記載の癒し効果を有するサウナ装置は、サウナ装置を構成する各部分を所望の位置にて組立て設置する組立て式サウナ装置において、前記サウナ装置の内壁面を微量の放射線及び遠赤外線を放射し、マイナスイオンを発生する放射線源材料で被覆した部材で構成した躯体部と、前記サウナ装置内に使用者が座ることができる腰掛けと前記サウナ装置内を約４０℃前後に維持する加温装置と、該サウナ装置内の湿度を約６０％前後に維持する加湿装置とから構成されるものである。【００１４】  また、本発明における請求項２記載の癒し効果を有するサウナ装置は、請求項１記載のサウナ装置において、使用者が胡坐または座禅が組みながら瞑想できるように補助腰掛けを増設し、広くなった座面に放射線源材料を含ませた敷物を配置したものである。【００１５】  また、本発明における請求項３記載の癒し効果を有するサウナ装置は、請求項１記載のサウナ装置において、腰掛けに取り外し可能な蓋を設け、この蓋を取外して腰掛けに蒸気浴装置を設け、サウナ浴と蒸気浴を同時にできるものである。
【発明の効果】
【００１６】  請求項１記載の構成により、加温装置・加湿装置を作動しない静置状態においても、放射線源材料から遠赤外線とマイナスイオンが発生し、その効果で精神をリラックスし癒され瞑想することができ、また、加温したことにより放射量の増えた遠赤外線と加温・加湿したことにより空気の摩擦により発生量の増したマイナスイオンの効果により、血行を促進することで新陳代謝を盛んにして体調を良好にし、使用者に癒し効果を与えることができる。【００１７】  請求項２記載の構成により、請求項１の効果に加えて、放射線源材料を含ませた敷物の上に胡坐または座禅を組むことができるので、より落ち着きリラックスして瞑想することができる。【００１８】  請求項３記載の構成により、請求項１の効果に加えて、薬効成分を含んだ蒸気を股部に集中的に浴びることができ、また、サウナ浴の効果により全身の血行も良くなっているので薬効成分の吸収も促進され、体調改善に効果がある。
【発明を実施するための最良の形態】
【００１９】  以下、本発明の第１実施例について図１〜図４を参照して説明する。本実施例は請求項１に対応し、サウナ装置１は木製の左右側面２，正面３，背面４，天井面５，及び床面６の躯体部から構成される直方体で、正面３に扉７が、天井面５には明り取り部８が設けてあり、内部には木製の腰掛け９が設けられ、床面６にはすのこ１０が載置されている。また、扉７には窓１１と扉７の開閉用のハンドル１２が設けられている。【００２０】  左右側面２、背面４、正面５は内壁Ａと外壁Ｂとからなる二重壁構造となっており、内壁Ａと外壁Ｂとの空間にはアルミニウムシートで覆われた断熱材１３が配置され遠赤外線等を室内側に反射するようになっている。また、左右側面２及び背面４は檜葉材の板がすのこ状に配置され、腰掛け９の載置部１４が設けられそれぞれの内壁Ａを構成している。【００２１】  また、左右側面２、背面４の内壁Ａを構成する檜葉材の室内面及び床面６の室内面とすのこ１０の上面には放射線源材料１５が塗布されている。放射線源材料１５の塗布はアクリル塗料などに放射線源材料１５を混ぜてを用いて行うが、アクリル塗料はシンナーなどの希釈材で薄め、放射線源材料１５が塗装面に付着する程度に塗装し、塗膜厚は極力薄いものが好ましい。このように塗装することで、檜葉材の有する湿気の吸収・放出作用を損なうことなく、また、フィトンチッドの放出も妨げられることもない。【００２２】  腰掛け９の下の床面６上には加温装置１６と加湿装置１７が配置され、加温装置１６と加湿装置１７への通電時間を制御するタイマーと過電流を防止するブレーカーを備えたコントロールボックス１８を経由してサウナ装置１を設置する家屋内のコンセントに接続されている。【００２３】  尚、正面５の室内面側には温度計（図示せず）、湿度計（図示せず）が配置されている。【００２４】  前記構成につきその作用を説明する。サウナ装置１を家屋内の使用者の好みに場所に設置し、サウナ装置１内の腰掛け９下部に配置される加温装置１６と加湿装置１７の電源コードをコントロールボックス１８からのコンセント（図示せず）に接続する。次いで、コントロールボックス１８に接続される電源コード１９を家屋内のコンセントに接続する。【００２５】  ここで、サウナ装置１内の温度・湿度を上昇させないで、マイナスイオン浴による精神のリラックスあるいは瞑想等をする場合は、使用者は加温装置１６及び加湿装置１７を作動させずにサウナ装置１内の腰掛け９に着座してマイナスイオン浴による精神のリラックスあるいは瞑想をすることができる。【００２６】  このとき、サウナ装置１内の室内面側、腰掛け９、すのこ１０は檜葉材で構成されていることから、過剰な湿度は檜葉材が吸収することから快適にサウナ装置１内にいることができる。また、檜葉材から発せられるフィトンチッドにより精神をリラックスさせることができ、その上、室内面側を被覆する放射線源材料は、常時微量の放射線を放射していることからサウナ装置１内の空気中の水分をマイナスイオン化することでサウナ装置１内をマイナスイオンが豊富な雰囲気にすることができるため、使用者は、精神がリラックスして癒され、リラックス状態で瞑想することができる。【００２７】  また、加温・加湿して低温サウナとして発汗しながらマイナスイオン・ホルミシス効果を享受したい場合は、コントロールボックス１８のブレーカーをＯＮにし、タイマーを任意の時間に設定して加温装置１６と加湿装置１７を運転すると加温装置１６から温風が送風され、また、加湿装置１７から蒸気が放出され、加温装置１６の温風によりサウナ装置１内を対流してサウナ装置１内の温度と湿度を上昇させる。加温装置１６はヒータを加熱し空気を加温するタイプと加熱したヒータにファンで空気を送り温風を送るタイプがあるが、空気と放射線源材料１５との摩擦によりマイナスイオンが発生することから、ファンタイプが好ましい。また、加湿器１７は沸騰タイプ、超音波発振タイプがあるがいずれを選択しても良い。【００２８】  ここで、左右側面２、背面４の内壁Ａを構成する檜葉材の室内面及び床面６の室内面とすのこ１０の上面には放射線源材料１５が塗布されていることから、加温により遠赤外線の放射率が増すとともに、加温蒸気の対流により生ずる放射線源材料１５と空気及び水分子との摩擦でマイナスイオンの発生量が増加し、室内温３８℃程度で使用者は低温でホルミシス効果の低温サウナ浴を楽しむことができる。また、コントロールボックス１８を経由して加温装置１６と加湿装置１７が接続されているため、タイマーが切れると加温装置１６と加湿装置１７も動作を停止するのでスイッチの切り忘れによる火災等の事故を防ぐことができる。【００２９】  また、すのこ１０の上面には放射線源材料１５が塗布されていることから、サウナ装置１を利用する使用者は裸足で利用することが好ましい。このようにすることで、足裏からマイナスイオン・ホルミシス効果を直接受けることができる。【００３０】  次に、本発明の第２実施例について図５を参照しながら説明する。尚、第１実施例と同一部分については同一符号を用いて詳細な説明は省略する。【００３１】  第２実施例は、特に瞑想する場合において、腰掛ける状態ではなく胡坐や座禅をしながら瞑想したいという使用者の要望に応えるものである。【００３２】  サウナ装置１は木製の左右側面２，正面３，背面４，天井面５，及び床面６の躯体部から構成される直方体で、正面３に扉７が、天井面５には明り取り部８が設けてあり、内部には木製の腰掛け９および補助腰掛け９Ａが設けられ、広くなった座面には敷物２０が敷かれ、床面６にはすのこ１０が載置されている。また、扉７には窓１１と扉７開閉用のハンドル１２が設けられている。【００３３】  左右側面２、背面４、正面５は内壁Ａと外壁Ｂとからなる二重壁構造となっており、内壁Ａと外壁Ｂとの空間にはアルミニウムシートで覆われた断熱材１３が配置され、左右側面２及び背面４は檜葉材の板がすのこ状に配置され、腰掛け９並びに補助腰掛け９Ａの載置部１４が設けられそれぞれの内壁Ａを構成している。【００３４】  また、左右側面２、背面４の内壁Ａを構成する檜葉材の室内面及び床面６の室内面とすのこ１０の上面及び敷物２０には放射線源材料１５が塗布及び浸漬などで被覆されている。敷物２０は天然繊維に放射線源材料１５を浸漬させたものか、あるいは放射線源材料１５の粉末を化学繊維に練りこみ敷物状としたものでもよい。【００３５】  ��掛け９の下の床面６上には加温装置１６と加湿装置１７が配置され、加温装置１６と加湿装置１７への通電時間を制御するタイマーと過電流を防止するブレーカーを備えたコントロールボックス１８を経由してサウナ装置１を設置する家屋内のコンセントに接続されている。【００３６】  尚、正面５の室内面側には温度計（図示せず）、湿度計（図示せず）が配置されている。【００３７】  前記構成につきその作用を説明する。ここで、胡坐や座禅をしながら瞑想等をする場合は、使用者は加温装置１６及び加湿装置１７を作動させずにサウナ装置１内の腰掛け９および腰掛け９Ａが配置され広くなった座面に敷いてある敷物２０の上に着座してマイナスイオン浴による精神のリラックスあるいは瞑想をすることができる。このとき、サウナ装置１内の室内面側、腰掛け９，腰掛け９Ａ、すのこ１０は檜葉材で構成されていることから、過剰な湿度は檜葉材が吸収することから快適にサウナ装置１内にいることができる。【００３８】  また、檜葉材から発せられるフィトンチッドにより精神をリラックスさせることができ、その上、室内面側を被覆する放射線源材料１５は、常時微量の放射線を放射していることからサウナ装置１内の空気中の水分をマイナスイオン化することでサウナ装置１内をマイナスイオンが豊富な雰囲気にすることができ、放射線源材料１５が浸漬された敷物２０上に着座するためマイナスイオン・ホルミシス効果を受けることができる上、使用者は、自分の好みの姿勢で着座することができるので、さらに精神がリラックスして癒され、リラックス状態で瞑想することができる。【００３９】  次に、本発明の第３実施例について図６〜図８を参照しながら説明する。尚、第１実施例と同一部分については同一符号を用いて詳細な説明は省略する。【００４０】  第３実施例は、身体の下腹部の不調、詳しくは、男性では加齢とともに不具合が生ずる前立腺肥大による排尿障害、精力減退など、女性では、生理痛、生理不順、更年期障害などの婦人病、排尿障害など、男女共通では、痔、便秘などの不調を改善するものである。【００４１】  サウナ装置１は木製の左右側面２，正面３，背面４，天井面５，及び床面６から構成される直方体で、正面３に扉７が、天井面５には明り取り部８が設けてあり、内部には木製の腰掛け９が設けられ、床面６にはすのこ１０が載置されている。また、扉７には窓１１と扉７の開閉用のハンドル１２が設けられている。【００４２】  この腰掛け９の前方（使用者の着座位置）には取り外し自在の蓋９Ｂが設けられ、蓋９Ｂを取り外すと後述する蒸気浴装置２１の座面部分２１Ａをはめ込むことができる穴（図示せず）が開口している。また、腰掛け９の下の床面６上には蒸気浴装置２１が配置され、タイマーと過電流を防止するブレーカーを備えたコントロールボックス１８を経由してサウナ装置１を設置する家屋内のコンセントに接続されている。【００４３】  この蒸気浴装置２１は、水をヒータで加熱して水蒸気を発生させるポットと、そのポット上に位置する薬草入れに入った薬草類をポットから生ずる水蒸気で蒸す蒸気発生部２１Ｂと、蒸気発生部２１Ｂに篏合する筒体の上部に洋式便器の便座状の形状の座面を有する座面部分２１Ａから構成される。���００４４】  尚、正面５の室内面側には温度計（図示せず）、湿度計（図示せず）が配置されている。【００４５】  前記構成につきその作用を説明する。蒸気浴をする場合は、腰掛け９の下部にある蒸気浴装置２１の蒸気発生部２１Ｂに水を入れ、薬草入れに例えば乾燥ヨモギ等の薬草を入れる。次いで、腰掛け９の蓋９Ｂを取り外し、腰掛け９に設けて有る穴に蒸気浴装置２１の座面部分２１Ａを差込み、腰掛け９下部の蒸気発生部２１Ｂに篏合させる。コントロールボックス１８のブレーカーをＯＮにしてタイマーを所定の時間に合わせると蒸気浴装置２１のポットが加熱され水蒸気が発生し、薬草入れを蒸しながら通過して薬草の薬効成分を含んだ水蒸気が上昇する。この状態で使用者が蒸気浴装置２１の座面部分２１Ａに座ると使用者の股部分に薬効成分を含んだ水蒸気があたり、皮膚を通じて薬効成分が体内に吸収される。【００４６】  このとき、蒸気浴装置２１から漏れる蒸気によりサウナ装置１内の温度及び湿度が上昇し、左右側面２、背面４の内壁Ａを構成する檜葉材の室内面及び床面６の室内面とすのこ１０の上面には放射線源材料１５が塗布されていることから、加温により遠赤外線の放射率が増すとともに、加温蒸気の対流により生ずる放射線源材料１５と空気及び水分子との摩擦でマイナスイオンの発生量が増加し、使用者は低温でホルミシス効果で全身の血行が良くなり薬効成分の吸収も促進されるので体調改善効果も増す。【００４７】  尚、蒸気浴装置２１は、水を加熱して蒸気を発生させ、その蒸気を薬草類に通過させて薬効成分を有する蒸気としたが、水の代わりに薬草成分を抽出した抽出水を用いても良く、抽出水を用いる場合は、座面部分２１Ａに着座し、加湿器１７に抽出水を入れ、加湿器１７の吹き出し口を座面部分２１Ａの下部に配置することで同様の効果を得ることができる。また、エッセンシャルオイルを水に滴下し、蒸気とともにその香りを楽しんでリラックスすることもできる。【００４８】  また、使用者の好みに応じて、ラジオ、ＣＤ、ＭＤ等の音響装置や小型の液晶テレビ、ＤＶＤプレーヤー等の映像装置をサウナ装置１内に設けることで、リラックスしてサウナ浴、瞑想をすることができる。【００４９】  また、腰掛け９に背もたれを設けても良いし、シートマッサージャーなどのマッサージ器具を備えても良い。【００５０】  以上、本発明の各実施例について説明したが、本発明の前記各実施例に限定されるものではなく、本発明の要旨の範囲内で種々の変形実施が可能である、例えば前記実施例では室内面に放射線源材料を塗布したものを示したが、和紙に含浸させたものを貼り付けても良い。断熱材の代わりに炭を利用しても良い。また、図面では、縦型直方体のサウナ装置を示したが、横長形状として使用者が横臥して使用できるような形状としても、同様な効果を得ることができる。
【図面の簡単な説明】
【図１】  本発明の第１実施例を示すサウナ装置の部分透視斜視図である。
【図２】  本発明のサウナ装置の左右側板及び同縦断面図である。
【図３】  同上サウナ装置の左右側板の一部拡大縦断面図である。
【図４】  同上サウナ装置のすのこを示す斜視図である。
【図５】  本発明の第２実施例を示すサウナ装置の部分透視斜視図である。
【図６】  本発明の第３実施例で蒸気浴装置を取付ける前の状態を示すサウナ装置の部分透視斜視図である。
【図７】  同上蒸気浴装置を取付けた状態を示すサウナ装置の部分透視斜視図である。
【図８】  同上蒸気浴装置の使用状態を示すサウナ装置の部分断面図である。
【符号の説明】
【００５１】  １    サウナ装置
２    左右側面
３    正面
４    背面
５    天井面
６    床面
７    扉
８    明かり取り部
９    腰掛け
９Ａ  補助腰掛け
９Ｂ  蓋
１０    すのこ
１１    窓
１２    ハンドル
１３    断熱材
１４    載置部
１５    放射線源材料
１６    加温装置
１７    加湿装置
１８    コントロールボックス
１９    電源コード
２０    敷物
２１    蒸気浴装置
２１Ａ  座面部分
２１Ｂ  蒸気発生部
Ａ    内壁
Ｂ    外壁
【図１】
2007061578.tif 000003
【図２】
2007061578.tif 000004
【図３】
2007061578.tif 000005
【図４】
2007061578.tif 000006
【図５】
2007061578.tif 000007
【図６】
2007061578.tif 000008
【図７】
2007061578.tif 000009
【図８】
2007061578.tif 000010